(57)【要約】  本発明は、柔軟な多層フィルム本体の形式のセキュリティ・エレメント、およびこのタイプのセキュリティ・エレメントを含む識別システムに関する。セキュリティ・エレメントは、検証デバイスからの特定のコーディングを含む電磁検証信号（７）を受信するための受信ユニット（６１）、イネーブル信号を出力するための出力ユニット（６６）、および能動および／または受動有機コンポーネントを有する電子リリース・システム（６３，６４，６５）を含む。電子リリース・システム（６３，６４，６５）は、受信ユニットによって受信された信号が特定のコーディングを含むか否かをチェックし、受信ユニット（６１）によって受信された信号がその特定のコーディングを含む場合には出力ユニット（６６）を駆動する。【選択図】      図３
2008523479.tif 000002
【特許請求の範囲】
【請求項１】
柔軟な多層フィルム本体の形式のセキュリティ・エレメント（３）であって、
前記セキュリティ・エレメント（３）が、検証デバイス（１）からの特定のコーディングを含む電磁検証信号（４）を受信するための受信ユニット（３１）、イネーブル信号を出力するための出力ユニット（３３）、および能動および／または受動有機コンポーネントを有する電子リリース・システム（３２）を有して構成され、
前記電子リリース・システム（３２）が、前記受信ユニット（３１）によって受信された信号が前記特定のコーディングを含むか否かをチェックし、前記受信ユニットによって受信された前記信号が前記特定のコーディングを含む場合には、前記イネーブル信号を出力するための前記出力ユニット（３３）を駆動することを特徴とするセキュリティ・エレメント。
【請求項２】
前記出力ユニット（３３）が光学イネーブル信号を出力するための光学出力ユニットであることを特徴とする請求項１に記載のセキュリティ・エレメント（３）。
【請求項３】
前記出力ユニット（３３）が、少なくとも一つのエレクトロクロミック・エレメント、サーモクロミック・エレメント、エレクトロルミネセンス・エレメント、または電気泳動エレメントを有する請求項２に記載のセキュリティ・エレメント（３）。
【請求項４】
前記出力ユニットが、少なくとも一つの液晶エレメントを有することを特徴とする請求項２に記載のセキュリティ・エレメント。
【請求項５】
前記出力ユニットが、少なくとも一つの有機発光ダイオードを有することを特徴とする請求項２に記載のセキュリティ・エレメント。
【請求項６】
前記出力ユニットが、サウンド信号または触知手段によって検出可能な信号を発生するための圧電エレメントを有することを特徴とする請求項１から請求項５のいずれか１項に記載のセキュリティ・エレメント。
【請求項７】
前記出力ユニットが、温度的に、または嗅覚によって検出可能な信号を発生することを特徴とする請求項１から請求項６のいずれか１項に記載のセキュリティ・エレメント。
【請求項８】
前記受信ユニット（３１）が、前記電磁検証信号を受信するための構造化された導電層を有するアンテナ構造を含むことを特徴とする請求項１から請求項７のいずれか１項に記載のセキュリティ・エレメント。
【請求項９】
前記電子リリース・システム（３２）が、前記受信ユニット（３１）によって受信された前記信号を、前記信号（４）の信号波形が前記特定のコーディングに対応するか否か、特に前記信号（４）の周波数および／または振幅があらかじめ決定された値を有するか否かに関してチェックすることを特徴とする請求項１から請求項８のいずれか１項に記載のセキュリティ・エレメント。
【請求項１０】
前記電子リリース・システム（５１）が、前記受信ユニット（３１）によって受信された前記信号を、前記セキュリティ・エレメント（３）に前記信号が入射する方向に関してチェックし、前記受信ユニット（３１）によって受信された前記信号があらかじめ決定された方向から前記セキュリティ・エレメント（３）に入射する場合に前記イネーブル信号を出力するための前記出力ユニット（３３）を駆動することを特徴とする請求項１から請求項９のいずれか１項に記載のセキュリティ・エレメント。
【請求項１１】
前記電子リリース・システム（５２）が、前記受信ユニット（３１）によって受信された前記信号を、前記信号の信号波形内の変化が前記特定のコーディングに対応するか否かについて、特に前記信号の周波数、位相、および／または振幅内の変化があらかじめ決定された値に対応するか否かについてチェックすることを特徴とする請求項１から請求項１０のいずれか１項に記載のセキュリティ・エレメント。
【請求項１２】
前記電子リリース・システム（５３）が、前記受信ユニット（３１）によって受信された前記信号を、変調された前記信号の中に含まれているコード・ワードが前記特定のコーディングに対応するか否か、特に前記コード・ワードが前記セキュリティ・エレメントのメモリ内にストアされているあらかじめ決定されたコード・ワードと整合するか否かについてチェックすることを特徴とする請求項１から請求項１１のいずれか１項に記載のセキュリティ・エレメント。
【請求項１３】
前記電子リリース・システム（３２）が、能動および／または受動有機コンポーネントを包含することを特徴とする請求項１から請求項１２のいずれか１項に記載のセキュリティ・エレメント。
【請求項１４】
前記電子リリース・システム（３２）が、有機導電材料および／または半導体材料から構成され、かつプリンティング・テクノロジによって作られる一つまたは複数の層を含むことを特徴とする請求項１から請求項１３のいずれか１項に記載のセキュリティ・エレメント。
【請求項１５】
前記セキュリティ・エレメントが、さらに電源ユニット（３５）を有することを特徴とする請求項１から請求項１４のいずれか１項に記載のセキュリティ・エレメント。
【請求項１６】
前記セキュリティ・エレメント（３）が、さらにセンサ・ユニット（３４）を有することを特徴とする請求項１から請求項１５のいずれか１項に記載のセキュリティ・エレメント。
【請求項１７】
前記受信ユニット（３９）、出力ユニット（３３）、および電子リリース・システム（３２）が、電気接点を介して互いに接続される別々のシステムを形成することを特徴とする請求項１から請求項１６のいずれか１項に記載のセキュリティ・エレメント。
【請求項１８】
識別システムであって、
前記識別システムが、特定のコーディングを含む電磁検証信号（４）を方射するための送信ユニット（１１）を有する検証デバイス（１）、および柔軟な多層フィルム本体の形式の少なくとも一つのセキュリティ・エレメント（３）を有し、
前記セキュリティ・エレメントが、前記検証信号を受信するための受信ユニット（３１）、イネーブル信号を出力するための出力ユニット（３３）、および能動および／または受動有機コンポーネントを有する電子リリース・システム（３２）を含み、
前記電子リリース・システム（３２）は、前記受信ユニット（３１）によって受信された信号が前記特定のコーディングを含むか否かをチェックし、前記受信ユニットによって受信された前記信号が前記特定のコーディングを含む場合には、前記イネーブル信号を出力するための前記出力ユニットを駆動することを特徴とする識別システム。
【発明の詳細な説明】
【技術分野】
【０００１】
本発明は識別システムに関し、識別システムにおける使用される柔軟な多層フィルム本体の形式のセキュリティ・エレメントに関する。
【背景技術】
【０００２】
商品、物品、またはセキュリティ・ドキュメントに、電子的に読み出すことのできる情報を、いわゆるＲＦＩＤトランスポンダ（ＲＦＩＤ＝無線周波数識別）によって提供することが知られている。通常、その種のＲＦＩＤトランスポンダは、基本的に二つのコンポーネント、すなわちアンテナおよびシリコン・チップを包含する。アンテナおよびシリコン・チップは、共通のキャリア基板上にマウントされ、接触接続によって互いに接続される。ベース・ステーションによって送信されたＲＦキャリア（ＲＦ−−無線周波数）がそのベース・ステーションにフィードバックされ、識別情報の項目がそのフィードバック信号上に変調される。
【０００３】
さらに、非特許文献１は、アンテナを例外とするが、実質的に有機コンポーネントから組み立てられるＲＦＩＤトランスポンダについて述べている。
【０００４】
ベース・ステーションによって放射されたキャリア信号がＲＦＩＤトランスポンダのアンテナ共振回路に結合され、続いて誘導電圧が整流される。整流後の電圧は、ＲＦＩＤトランスポンダのロジックＩＣに供給され、それが変調トランジスタを駆動する。
【０００５】
この変調トランジスタは、識別情報を表すビット・シーケンスを含むバイナリ信号を用いてロジックＩＣによって駆動され、その結果、共振回路の減衰がそのバイナリ信号に従って変調される。これの結果として変化するアンテナの放射動作がベース・ステーションによって検出され、そのＲＦＩＤトランスポンダの応答信号として獲得される。
【０００６】
有機半導体が概してシリコンより低い電荷担体の可動性を有すること、および有機電界効果トランジスタが電荷担体反転の原理ではなく電荷担体蓄積の原理を基礎としており、それがシリコン・トランジスタと比較して遅いスイッチング速度、および異なるスイッチング動作をもたらす（たとえば、ＡＣ電圧に適当でない）ことから従来的なシリコン−ベースの回路より明らかに遅い。これは、有機コンポーネントからなる電子回路の応用の分野を制限し、シリコン・テクノロジを基礎とする従来的な回路との比較において、新しい回路コンセプトを要求する。
【０００７】
非特許文献２は、さらに、貴重なドキュメント、たとえば銀行券、チケット、出資証明書、およびそれらの類のセーフガードのためのＲＦＩＤテクノロジの応用について述べている。ＲＦＩＤトランスポンダによって方射される識別情報の項目を含む出力信号は、真正の特徴を有し、セキュリティ・ドキュメントの真正を検査するために、チェックされる。キャリア信号が結合されたときにＲＦＩＤトランスポンダによって方射される出力信号は、たとえばそのセキュリティ・ドキュメントの個別のシリアル番号を含み、さらにそれが当該セキュリティ・ドキュメント上にも印刷されている。これら二つの情報の項目をチェックすることによって、そのセキュリティ・ドキュメントが捏造であるか否かが突きとめられる。
【０００８】
同様に非特許文献３も、セキュリティ・ドキュメントへのトランスポンダの応用について述べている。この場合もまた、トランスポンダが、捏造を識別するため、またはドキュメントを探すための特徴として資する。
【０００９】
さらに非特許文献４は、貴重なドキュメントまたはセキュリティ・ドキュメントに対する電子回路の応用を述べており、当該電子回路の少なくとも一つのエレメントが貴重なドキュメント、またはセキュリティ・ドキュメントの上にプリントされる。この場合においては、導電性プリント・インクによってこの刷り込みを行うことができる。
【００１０】
この場合においては、電子回路が、プリント電池、太陽電池、またはアンテナの形式で電源を有する。さらにこの電子回路は出力デバイス、たとえばＬＥＤを有する。
【非特許文献１】独国特許発明第１０１  ４１  ４４０号明細書
【非特許文献２】国際公開第００／０７１５１パンフレット
【非特許文献３】欧州特許出願公開第１  １３４  ６９４  Ａ１
【非特許文献４】国際公開第０３／０５７５０１  Ａ１パンフレット
【発明の開示】
【発明が解決しようとする課題】
【００１１】
貴重なドキュメントまたはセキュリティ・ドキュメントをチェックするための装置は、上記の出力デバイスによって方射されたフィールドの固有性を検出し、その固有性とあらかじめ定義済みの固有性を比較し、それによりその貴重なドキュメントまたはセキュリティ・ドキュメントが本物であるか否かを決定する。
【００１２】
上記のセキュリティ・ドキュメントに対するＲＦＩＤトランスポンダの応用に類似の態様で、セキュリティ・ドキュメントによって方射される識別信号が、そのようにセキュリティ・ドキュメントの真正を決定する目的のためにチェックされる。
【００１３】
この場合においては、その種の方法の欠点が、セキュリティ・ドキュメントの真正のチェックが、技術的に複雑な装置を伴ってのみ実行可能なことである。
【００１４】
本発明は、改良された識別システム、特にセキュリティ・ドキュメントの真正の識別を行う改良された識別システムを提供することを目的の基礎としている。
【課題を解決するための手段】
【００１５】
この目的は、柔軟な多層フィルム本体の形式のセキュリティ・エレメントによって達成され、当該セキュリティ・エレメントは、検証デバイスからの特定のコーディングを含む電磁検証信号を受信するための受信ユニット、イネーブル信号を出力するための出力ユニット、および能動および／または受動有機コンポーネントから少なくとも部分的に構成される電子リリース・システムを有し、それにおいて電子リリース・システムは、受信ユニットによって受信された信号が特定のコーディングを含むか否かをそれがチェックし、受信ユニットによって受信された信号がその特定のコーディングを含む場合にはイネーブル信号を出力するために出力ユニットを駆動する態様で構成される。さらにこの目的は、検証デバイスおよび柔軟な多層フィルム本体の形式の少なくとも一つのセキュリティ・エレメントによって達成され、それにおいて検証デバイスには、特定のコーディングを含む電磁検証信号を方射するための送信デバイスが提供され、セキュリティ・エレメントは、検証信号を受信するための受信ユニット、イネーブル信号を出力するために出力ユニット、および能動および／または受動有機コンポーネントから少なくとも部分的に構成される電子リリース・システムを有し、それにおいて電子リリース・システムは、受信ユニットによって受信された信号が特定のコーディングを含むか否かをチェックし、受信ユニットによって受信された信号がその特定のコーディングを含む場合にはイネーブル信号を出力するために出力ユニットを駆動する。
【００１６】
本発明は、捏造に対する高度のセキュリティを提供し、コスト効果的に製造可能であり、しかも時間およびコストに関する支出をほとんど伴うことなくそれらの真正に関してチェック可能なセキュリティ特徴を提供することを可能にする。セキュリティ・エレメントのチェックは、この場合に特に単純な態様で構成される。たとえば、セキュリティ・エレメントによって出力されるシリアル番号をチェックする必要がなく、またシリアル番号は、特定の状況下において、複数の数字を包含する。このセキュリティ特徴は、専門家でない者にとってさえもほとんど支出を伴うことなく実行できる。セキュリティ・エレメントは、能動および／または受動有機コンポーネントを伴う柔軟な多層フィルム本体を包含し、その結果、一般的にアクセスできるテクノロジによる、たとえばシリコン・テクノロジを基礎とする電子回路によるこのセキュリティ特徴の模倣は、高い支出を伴ってのみ可能になるか、少なくとも直ちに識別可能なものとなる。
【００１７】
さらに本発明は、セキュリティ・エレメント内の変更を伴うことなく、検証デバイスの複雑性を増加することによって、たとえば検証信号内の変化に対するセキュリティ・エレメントの反応をチェックすることによって、後からの捏造に対するセキュリティの向上の可能性を提供する。結果として、捏造に対する保護の向上が、すでに流通している複数のセキュリティ・エレメントの交換を必要とすることはない。さらに、それぞれの要件に応じたセキュリティ特徴の段階付きチェックを実現することがそれによって可能になる。
【００１８】
本発明の有利な構成は、従属請求項の中に示されている。
【００１９】
検証デバイスには、追加として、圧力、温度、湿度等の影響を検出するためのセンサ技術エレメントを提供することが可能である。
【００２０】
出力ユニットとして光学イネーブル信号を出力するための光学出力ユニットが使用されると特に有利である。この出力ユニットは、例として述べれば、一つまたは複数のエレクトロクロミック・エレメント、サーモクロミック・エレメント、電気泳動エレメント、または液晶エレメント（液晶＝ＬＣ）または有機発光ダイオードを有する。イネーブル信号は、したがって、観察者によって直接的に、かつ明白に検出され得る。さらに、イネーブル信号が、たとえば圧電エレメントまたはラウドスピーカによって聴覚的に、または触覚を介して、または嗅覚的に（たとえばにおいの感覚）、または温度的に（冷却または加熱エレメント）ユーザに伝達されるようにすることも可能である。さらにまた、イネーブル信号を検証デバイスによって検出可能な機械可読情報として出力する可能性もある。たとえば、検証デバイスの受信機（アンテナ、光センサなど）によって検出可能な電磁信号をイネーブル信号として出力することが可能である。導電接触を介した電気信号の出力も同様に可能である。さらに、上記の実施態様の変形を互いに組み合わせることもできる。
【００２１】
セキュリティ・エレメントの受信ユニットは、好ましくは、電磁検証信号の受信のために構造化された導電層を包含するアンテナ構造を有する。この場合においてはアンテナ構造が、そのサイズおよび形状に関して検証信号によって使用される結合方法および周波数範囲に適合される。さらに、この場合に二つまたはそれより多くのアンテナを、たとえば異なる周波数のために備えることも可能である。使用可能な周波数範囲は、たとえば１２５〜１３５ＭＨｚ、１３〜１４ＭＨｚ、６〜８ＭＨｚ、２０〜４０ＭＨｚ、８６０〜９５０ＭＨｚ、または１．７〜２．５ＧＨｚである。電磁結合は、誘導的に、容量的に、またはダイポール相関によってもたらすことができる。これは、送信機、アンテナ、および送信機とアンテナの間の距離に依存する。使用されるＲＦ源は、このために特別に構成された送信機、またはそれに代わるＲＦＩＤ送信機、モバイル無線端末、無線インターフェース、ＲＦテレビジョン信号、また赤外線（ＩＲ）およびＵＶ源とすることができる。
【００２２】
さらに、電磁検証信号を可視光の範囲内、赤外線範囲、またはＵＶ範囲とすること、および受信ユニットに対応するセンサ、たとえばフォトダイオードまたは太陽電池を、その種の電磁放射を受信するために備えることも可能である。好ましくは、その種のセンサが少なくとも部分的に有機層から構成される。
【００２３】
電子リリース・システムは、有機的な導電材料および／または半導体材料からなり、かつプリンティング・テクノロジによって製造される一つまたは複数の層から好ましく構成される。この場合において、電子リリース・システムは、受動有機コンポーネント、たとえば有機ダイオード、および能動有機コンポーネント、たとえば有機電界効果トランジスタまたは有機メモリ・エレメントを好ましくは包含する。
【００２４】
本発明の一つの好ましい実施態様においては、電子リリース・システムが受信ユニットによって受信された信号を、その信号の信号波形が特定のコーディングに対応するか否かについてチェックする。もっとも単純な場合においては、この目的のために電子リリース・システムが、受信された信号の周波数および／または振幅を、それがあらかじめ決定済みの値に対応するか否かについてチェックする。したがって、もっとも単純な場合においてはコーディングが、単に特定の大まかに固定されたＲＦキャリア周波数によって提供される。したがって電子リリース・システムは、たとえばバンドパス・フィルタおよび下流に接続されたウインドウ弁別器によって、受信された信号があらかじめ決定された周波数範囲内に（あらかじめ決定された電界強度の）信号成分を有するか否かについて決定する。複数のその種の回路を並列に接続することによって、特定の状況下においてはそれらがロジック・ゲートによって互いに接続されるが、有機コンポーネントを使用して複雑な信号波形の存在をチェックすることが可能になる。
【００２５】
さらに、電子リリース・システムが受信ユニットによって受信された信号を、その信号がセキュリティ・エレメントに入射した方向に関してチェックし、受信ユニットによって受信された信号があらかじめ決定された方向からセキュリティ・エレメントに入射した場合に限ってイネーブル信号を出力するために出力ユニットを駆動することが可能である。したがって、たとえば受信ユニットが、フェーズド・アレイ構成で配置され、電子リリース・システムに接続された複数のアンテナ構造を有することができる。種々のアンテナ構造によって受信された信号の評価の後は、電子リリース・システムが、検証信号の入射方向を決定することが可能になる。イネーブル信号は、セキュリティ・エレメントが検証デバイスに関して特定の位置に保持されている場合に限って出力される。たとえばセキュリティ・エレメントが回転される場合には、イネーブル信号を出力する有機発光ダイオードまたはそのほかの出力エレメントが、検証デバイスに関して特定の角度位置においてのみ発光する。
【００２６】
本発明のさらに有利な例示的な実施態様によれば、検出可能な異なる型の入力信号のあらかじめ決定された組み合わせが存在するときに限って、イネーブル信号が出力される。したがって検証信号が、異なる型の入力信号の特定の組み合わせ、たとえばＲＦ＋光、光＋圧力またはＲＦ、ＩＲ＋温度を包含する。電子リリース・システムは、特定のコーディング、たとえば特定の組み合わせを含むか否かについて入力信号の組み合わせをチェックし、相応じて出力ユニットを駆動する。
【００２７】
本発明の別の好ましい例示的な実施態様によれば、電子リリース・システムは受信ユニットによって受信された信号を、その信号の信号波形内の変化が特定のコーディングに対応するか否かに関してチェックする。したがって電子リリース・システムは、例として述べれば、受信された信号の周波数、位相、および／または振幅内の変化があらかじめ決定された値に対応するか否かをチェックする。例として、電子リリース・システムは、前述したアッセンブリにより、特定の時間間隔において特定の周波数帯内の信号強度を決定し、それと特定のスレッショルド値を比較して、そのようにして獲得された信号をバッファとして働くシフト・レジスタ内にストアする。このシフト・レジスタ内にストアされる信号パターンと有機メモリ内にストアされている信号パターンを比較することによって、受信された信号の信号波形内における変化が特定のコーディングに対応するか否かが決定される。
【００２８】
さらに、電子リリース・システムが受信ユニットによって受信された信号を復調し、復調後の信号に含まれているコード・ワードを、それが特定のコーディングに対応するか否かに関してチェックすることも可能である。したがって、受信ユニットによって受信された信号がたとえばロー−パス・フィルタに供給され、バイナリ信号に変換され、有機メモリ内にストアされているあらかじめ決定されたコードと比較される。
【００２９】
セキュリティ・エレメントは、さらに電子リリース・システムおよび出力ユニットに供給するための電源ユニットを有する。この電源ユニットは、例として述べれば、バッテリ、太陽電池、またはそのほか、下流に整流器および放射されたＨＦ電力（ＨＦ＝高周波）を結合するためのストレージ・キャパシタを伴うアンテナを包含する。
【００３０】
さらに、たとえば再充電可能バッテリと太陽電池を組み合わせるというように、異なる電源ユニットを組み合わせることもできる。この場合において、それらの要素をすべて多層フィルム本体内に集積すると有利である。
【００３１】
さらにまた、オプションとしてセキュリティ・エレメントがセンサ・ユニットを有し、それによってたとえば圧力、温度、または湿度が検出されて電子リリース・システムに入力信号として供給されることも可能である。その後イネーブル信号が、それらのセンサによって決定される値に応じた態様で方射される。
【発明を実施するための最良の形態】
【００３２】
以下添付の図面に示す複数の例示的な実施態様に基づき、本発明について説明する。
【００３３】
図１は、検証デバイス１、セーフガードされるべき物体２およびセキュリティ・エレメント３を有する識別システムを示している。
【００３４】
セーフガードされるべき物体２は、セキュリティ・ドキュメント、たとえばＩＤドキュメントまたは銀行券、製品、製品パッケージ、または製品包装等である。セキュリティ・エレメント３は、セーフガードされるべき物体２に、たとえばホット・エンボス加工、裏張、接着剤接合、または積層によって付けられる。セキュリティ・エレメント３は、たとえばセーフガードされるべき物体のキャリア材料または製品自体の表面に、たとえば紙、厚紙、コート紙、プラスティック、たとえばポリエステルまたはＰＶＣ等からなるプラスティック・フィルム、またはコート・フィルムに付けられる。さらに、たとえばセキュリティ・エレメントをセーフガードされるべき物体の二つのプラスティック層の間に積層することによって、セキュリティ・エレメント３をセーフガードされるべき物体の中に組み込むことも可能である。
【００３５】
セキュリティ・エレメント３は、一つまたは複数の電気的な機能層を有する柔軟な多層フィルム本体を有する。フィルム本体の電気的な機能層は、（有機的な）導電層、有機的な半導体層、および／または有機絶縁層を有し、それらが構造化された形式で少なくとも部分的に一方が他方の上に配置される。当該電気的な機能層とともに、多層フィルム本体は、オプションで一つまたは複数のキャリア層、保護層、装飾層、接着促進層または接着層も有する。
【００３６】
電気的な導電機能層は、好ましくは金または銀からなる導電性の構造化された金属被覆を備える。しかしながら当該機能層を無機導電性材料、たとえばインジウム・スズ酸化物から、または導電性高分子、たとえばポリアニリンまたはポリピロールから形成することも可能である。
【００３７】
有機半導体機能層は、たとえばポリチオフェン等の共役重合体、ポリチエニレンビニレンまたはポリフルオレン誘導体を有し、それらが溶液からスピン−コーティング、ブレード・コーティング、またはプリンティングによって付けられる。いわゆる「低分子」、すなわち真空テクニックによって真空めっきされるセキシチオフェンまたはペンタセン等の低重合体もまた有機半導体層として適している。これらの有機層は、すでに部分的に構造化された態様において、またはパターン化された様式で構造化された態様においてプリンティング方法（凹版印刷、スクリーン印刷、パッド印刷）によって好ましく付けられる。この目的のために、これらの層に提供される有機材料が、可溶性の高分子として形成され、それにおいて高分子という用語は、この場合、すでに上で詳しく述べたとおり、低重合体および「低分子」も含む。
【００３８】
検証デバイス１は、特定のコーディングを含む電磁検証信号４を方射する送信デバイス１１を有する。検証デバイス１は、セキュリティ・エレメント３が本物か否かをチェックするために開発された特定のデバイスである。しかしながら検証デバイスを、この目的のために追加的に使用されるに過ぎないデバイスとすることも可能である。したがって検証デバイス１を、例として述べるが、モバイル無線端末、コンピュータまたはＰＤＡ（＝携帯情報端末）としてもよい。この場合においては、送信デバイスがＧＳＭ／ＵＭＴＳトランシーバまたは近距離用無線インターフェースのためのトランシーバ、たとえばブルートゥース（Ｂｌｕｅｔｏｏｔｈ）によって形成される。
【００３９】
電磁検証信号４がセキュリティ・エレメント３上に入射すると、セキュリティ・エレメント３の電気的な機能層の相互作用の結果として、図２を参照して次に述べるセキュリティ・エレメント３の電気的な機能が提供される。
【００４０】
図２は、セキュリティ・エレメント３内に実装されている種々の電気的な機能グループ３１〜３５を伴ったセキュリティ・エレメント３の電気的な機能の概略図を示している。
【００４１】
図２に示すとおり、機能グループ３１〜３５は、電気接点を介して互いに接続される別々のシステムを好ましく形成する。
【００４２】
機能グループ３１は、検証信号４を受信するための受信ユニット３１である。検証信号４としてＲＦ信号が使用される場合には、機能グループ３１は、検証信号４の周波数範囲および意図された結合方法に適合するアンテナ構造を有する。当該アンテナ構造は、柔軟な多層フィルム本体の、一つまたは複数の構造化された導電性の層または層領域によって形成される。
【００４３】
電気的な機能グループ３４は、追加の入力信号を検出する一つまたは複数のセンサを有する。この場合において当該センサは、たとえば圧力、温度、可視光、ＵＶ放射、またはＩＲ放射を検出し、検出された量を表す電気信号を機能グループ３４に転送する。機能グループ３４は、省略することも可能である。
【００４４】
電気的な機能グループ３５は、電源ユニットである。この電気的な機能グループ３５もまた、受信ユニット３１に結合される検証信号４の電力が残りの機能グループ３２、３３、および特定の状況の下において機能グループ３４に使用される場合には、省略することができる。
【００４５】
機能グループ３３は、イネーブル信号を出力するための出力ユニット３３である。出力ユニット３３は、エレクトロクロミック・エレメント、サーモクロミック・エレメント、エレクトロルミネセンス・エレメント、エレクトロフォスフォレセンス・エレメント、液晶エレメント、または有機発光ダイオードを好ましくは有し、対応する電気的入力信号に応答して光学的イネーブル信号を出力する。電気的な機能グループ３３は、概して柔軟な多層フィルム本体に、一方が他方の上に横たわる三つまたはそれより多くの層または層領域によって形成され、二つの構造化された導電性の電極層、およびそれらの間に横たわる少なくとも一つの光学的な活性層を包含する。この場合において、電気的な機能グループ３３が、二つまたはそれより多くの相互接続されたこのタイプのエレメントを有することも可能である。それに加えて機能グループ３３がサウンド信号、または触知手段によって検出可能な信号を発生するための圧電エレメント、および／または温度または嗅覚によって検出できる信号を発生するためのエレメントを有することも可能である。
【００４６】
電気的な機能グループ３２は、一つまたは複数の相互接続された能動および／または受動有機コンポーネントを包含する電子リリース・システムである。電気的な機能グループ３２は、したがって柔軟な多層フィルム本体に、一方が他方の上に横たわる少なくとも３つの層または層領域によって形成され、少なくとも二つの構造化された導電性の電極層、およびそれらの間に横たわる少なくとも一つの電気的な機能層を包含する。それによって、一つまたは複数の能動および／または受動の相互接続された有機コンポーネントが形成される。この場合においては、電子リリース・システムが、受動有機コンポーネント、たとえば有機ダイオードを、また能動有機コンポーネント、たとえば有機電界効果トランジスタまたは有機メモリ・エレメントを好ましくは有する。
【００４７】
機能グループ３２の電気的なコンポーネントの相互接続によって実現される電子リリース・システムは、機能グループ３１によって受信された信号が特定のコーディングを含むか否かをチェックし、機能グループ３１によって受信された信号がその特定のコーディングを含むとき、イネーブル信号を出力するための機能グループ３３を駆動する。
【００４８】
もっとも単純な場合においては、機能グループ３２が機能グループ３１とともに、アンテナおよび有機キャパシタによって形成され、かつ完全に特定の周波数／周波数帯域幅を用いてのみ励振されることの可能な選択的共振回路を形成する。適切な周波数の場合には、機能グループの光学エレメントが、機能グループ３３によって印加される電流または電圧によって変化する。好ましくは、この場合の光学エレメントが、有機コンポーネント、たとえば有機ダイオードによって生成されるＤＣ電流またはＤＣ電圧によって変化する。この場合においては機能グループ３２が、さらに、ウインドウ弁別器として接続され、かつ機能グループ３２を駆動する有機電界効果トランジスタを有することが可能である。その場合、さらに当該有機電界効果トランジスタを、追加のバンドパス・フィルタを実現する上流の一つまたは複数の有機コンポーネント、電源または追加の周波数の選択を提供する追加の結合アンテナ、または何らかの別の電源に接続することもできる。
【００４９】
図３は、セキュリティ・エレメント３の別の電気的−機能的構成の概略図を示している。
【００５０】
図３は、送信デバイス５、検証信号５、および互いに接続され、多層フィルム本体の電気的な機能層の相互作用によって実装される複数の電気コンポーネント６１〜６６を示している。図３に示す図解は、多層フィルム本体の垂直断面に関するそれらの電気コンポーネントの空間的な配置を示す。
【００５１】
コンポーネント６１はアンテナである。コンポーネント６２は有機キャパシタである。コンポーネント６３および６４は、たとえば有機ダイオードおよび有機電界効果トランジスタを有する有機整流器を形成する。コンポーネント６５は、ロジック動作を実装する有機回路エレメントである。
【００５２】
図３に示されているとおり、送信デバイス５によってセキュリティ・エレメント上に方射される電磁信号の信号波形、ここでは振幅となるが、それが変化する。
【００５３】
コンポーネント６１および６２によって形成される選択的共振回路は、特定の周波数か、または特定の狭い限定された周波数帯内のみによって、送信器５の励振が可能となる方法で設計されている。この共振回路内の電圧が有機整流器を介して取り出され、有機回路エレメント６５に供給される。信号７の中に含まれる、振幅変調手段によってコード化された様式の特定のコード・ワードが、有機メモリ内に好ましくストアされているあらかじめ決定されたコード・ワードとそれが対応するか否かについて、有機回路エレメント６５がチェックする。このチェックは、シフト・レジスタおよびコンパレータ（後者と有機メモリとに接続される）によって好ましく実現され、その下流にはドライバとして機能する有機電界効果トランジスタが接続される。当てはまる場合には、電流または電圧が、光学エレメントのコンポーネント６６に印加される。印加電流または印加電圧によって、コンポーネント６６の光学特性が変化し、その結果、ユーザが認識できるイネーブル信号がコンポーネント６６によって反射される光の中にコード化される。
【図面の簡単な説明】
【００５４】
【図１】検証デバイスおよびセキュリティ・エレメントとともに本発明に従った識別システムの概略を示す図である。
【図２】図３に従ったセキュリティ・エレメントのブロック図である。
【図３】本発明に従ったセキュリティ・エレメントの構成の概略を示す図である。
【符号の説明】
【００５５】
１  検証デバイス
２  セーフガードされるべき物体
３  セキュリティ・エレメント
４  電磁検証信号；検証信号
５  送信デバイス
７  信号
１１  送信デバイス
３１  機能グループ（受信ニット）
３２  機能グループ
３３  機能グループ（出力ユニット）
３４  機能グループ
３５  機能グループ
６１  電気コンポーネント
６２  コンポーネント
６３  コンポーネント
６４  コンポーネント
６５  コンポーネント（回路エレメント）
６６  コンポーネント
【図１】
2008523479.tif 000003
【図２】
2008523479.tif 000004
【図３】
2008523479.tif 000005
【国際調査報告】
2008523479.tif 000006
2008523479.tif 000007
2008523479.tif 000008
2008523479.tif 000009